(57)【要約】    【課題】      携帯端末装置が、設定されたエリアを出た場合に、エリアを設定した側の携帯端末装置に通報すること。    【解決手段】  位置情報処理部４０２は、第１の携帯端末装置と第２の携帯端末装置の位置情報を記憶する。安全エリア処理部４０３は、第１の携帯端末装置にて設定された安全エリア情報を記憶する。電源処理部４０４は、第２の携帯端末装置の電源のＯＮ／ＯＦＦを識別する。制御部４０５は、第２の携帯端末装置が設定された安全エリアを出るなどの予め設定された条件に基づき第１の携帯端末装置に通報を行う。  【選択図】      図４
2005210204.tif 000002
【特許請求の範囲】
【請求項１】
自己の位置情報を検出することができる第１及び第２の携帯端末装置がそれぞれ出力した位置情報を記憶する位置情報記憶手段と、前記第２の携帯端末装置の安全エリアを示す情報である安全エリア情報を記憶する安全エリア記憶手段と、前記位置情報と前記安全エリア情報を照合し、前記第２の携帯端末装置が安全エリアを出た場合には、前記第１の携帯端末装置に通報を行う制御手段と、を具備することを特徴とする制御装置。
【請求項２】
前記安全エリア記憶手段は、前記第１の携帯端末装置により設定された安全エリア情報を記憶することを特徴とする請求項１記載の制御装置。
【請求項３】
前記第１及び第２の携帯端末装置が送出した位置情報に基づいて前記第１及び第２の携帯端末装置の距離を検出する距離検出手段を具備し、前記制御手段は、予め設定した以上に前記第１と第２の携帯端末装置の距離が開いた場合には、前記第１の携帯端末装置に通報を行うことを特徴とする請求項１または請求項２記載の制御装置。
【請求項４】
前記位置情報記憶手段は、前記第２の携帯端末装置の位置情報を検出し、予め設定された一定時間以上移動が確認されなかった場合には、前記第１の携帯端末装置に通報を行うことを特徴とする請求項１から請求項３のいずれかに記載の制御装置。
【請求項５】
前記第２の携帯端末装置の電源ＯＮ／ＯＦＦを検出する電源ＯＮ／ＯＦＦ検出手段を具備し、前記制御手段は、前記第２の携帯端末装置の電源がＯＦＦになった場合には、前記第２の携帯端末装置の電源がＯＦＦになった旨及びＯＦＦになった位置を前記第１の携帯端末装置に通報することを特徴とする請求項１から請求項４のいずれかに記載の制御装置。
【請求項６】
自己の位置情報を検出する位置情報検出手段と、他の携帯端末装置の行動範囲を設定する安全エリア設定手段と、前記安全エリア設定手段にて設定された行動範囲を前記他の携帯端末装置が出たときに危険通知を行うか否かを選択することができる危険通知設定手段と、前記位置検出手段にて検出した位置情報、前記安全エリア設定手段にて設定した安全エリア設定情報、前記危険通知設定手段にて設定した危険通知設定情報を請求項１から請求項５のいずれかに記載の制御装置に出力する通信処理手段と、を具備することを特徴とする携帯端末装置。
【請求項７】
自己の位置情報を検出することができる第１及び第２の携帯端末装置がそれぞれ出力した位置情報を記憶する位置情報記憶工程と、前記第２の携帯端末装置の安全エリアを示す情報である安全エリア情報を記憶する安全エリア記憶工程と、前記位置情報と前記安全エリア情報を照合し、前記第２の携帯端末装置が安全エリアを出た場合には、前記第１の携帯端末装置に通報を行う制御工程と、を具備することを特徴とする制御方法。
【発明の詳細な説明】
【技術分野】
【０００１】
本発明は制御装置に関し、特に、設定されたエリアを携帯端末装置が出た場合などに、直ちにエリアを設定した側の携帯端末装置に通報するシステムに適用される制御装置に関する。
【背景技術】
【０００２】
近年、児童誘拐事件の多発や老人の徘徊問題などから、子供、老人等の居場所を遠隔地からでも把握したいという要望が増加している。
【０００３】
従来、この要望に応えるために、各通信事業者からＰＨＳや携帯端末装置等を用いて第三者が位置検索するサービスが提供されている（例えば非特許文献１）。
【０００４】
また、位置情報サービスの付加サービスとして、緊急時に発信者が救急信号を送ると緊急連絡先に状況を知らせて対処員が急行するサービスも提供されている（例えば非特許文献２）。
【非特許文献１】http://www.nttdocomo.co.jp/p_s/service/
【非特許文献２】http://www.855756.com/info/m_mob_top.html
【発明の開示】
【発明が解決しようとする課題】
【０００５】
しかしながら、従来の位置情報サービスでは、検索を行った時点での現在位置が分かるのみであり、子供の居場所を常時監視しようとすれば、頻繁に検索を行う必要が生じ、不便である。また、緊急時には、子供側からアクションを取らないと通報を行うことはできず、子供が危険と分からずに連れ去られた場合には、通報は行われない。
【０００６】
さらに、子供が連れ去られた場合に、犯人が端末を捨てる、壊すあるいは電源を切った場合には検索自体が不可能になる。
【０００７】
本発明はかかる点に鑑みてなされたものであり、子供側の携帯端末装置が、設定されたエリアを出た場合や電源がＯＦＦになった場合、あるいは一定時間位置が動かなくなった場合に、親側の携帯端末装置に通報する制御装置の提供を目的とする。
【課題を解決するための手段】
【０００８】
本発明の制御装置は、自己の位置情報を検出することができる第１及び第２の携帯端末装置がそれぞれ出力した位置情報を記憶する位置情報記憶手段と、前記第２の携帯端末装置の安全エリアを示す情報である安全エリア情報を記憶する安全エリア記憶手段と、前記位置情報と前記安全エリア情報を照合し、前記第２の携帯端末装置が安全エリアを出た場合には、前記第１の携帯端末装置に通報を行う制御手段とを具備する構成を採る。
【０００９】
この構成によれば、前記第２の携帯端末装置が設定された安全エリアを出た場合に、直ちに前記第１の携帯端末装置に通報するため、迅速に危険を察知することができる。
【００１０】
本発明の制御装置は、前記安全エリア記憶手段は、前記第１の携帯端末装置により設定された安全エリア情報を記憶する構成を採る。
【００１１】
この構成によれば、前記第１の携帯端末装置が設定した安全エリアを前記第２の携帯端末装置が出た場合に直ちに前記第１の携帯端末装置に通報するため、迅速に危険を察知することができる。
【００１２】
本発明の制御装置は、前記第１及び第２の携帯端末装置が送出した位置情報に基づいて前記第１及び第２の携帯端末装置の距離を検出する距離検出手段を具備し、前記制御手段は、予め設定した以上に前記第１と第２の携帯端末装置の距離が開いた場合には、前記第１の携帯端末装置に通報を行う構成を採る。
【００１３】
この構成によれば、予め設定された以上に、前記第１と第２の携帯端末装置の距離が開いた場合に、直ちに前記第１の携帯端末装置に通報するため、迅速に危険を察知することができる。
【００１４】
本発明の制御装置は、前記位置情報記憶手段は、前記第２の携帯端末装置の位置情報を検出し、予め設定された一定時間以上移動が確認されなかった場合には、前記第１の携帯端末装置に通報を行う構成を採る。
【００１５】
この構成によれば、予め設定された一定時間以上第２の携帯端末装置の移動が無かった場合に、直ちに前記第１の携帯端末装置に通報するため、迅速に危険を察知することができる。
【００１６】
本発明の制御装置は、前記第２の携帯端末装置の電源ＯＮ／ＯＦＦを検出する電源ＯＮ／ＯＦＦ検出手段を具備し、前記制御手段は、前記第２の携帯端末装置の電源がＯＦＦになった場合には、前記第２の携帯端末装置の電源がＯＦＦになった旨及びＯＦＦになった位置を前記第１の携帯端末装置に通報する構成を採る。
【００１７】
この構成によれば、前記第２の携帯端末装置の電源がＯＦＦになった場合に、直ちに前記第１の携帯端末装置に通報することにより、迅速に危険を察知することができる。
【００１８】
本発明の携帯端末装置は、自己の位置情報を検出する位置情報検出手段と、他の携帯端末装置の行動範囲を設定する安全エリア設定手段と、前記安全エリア設定手段にて設定された行動範囲を前記他の携帯端末装置が出たときに危険通知を行うか否かを選択することができる危険通知設定手段と、前記位置検出手段にて検出した位置情報、前記安全エリア設定手段にて設定した安全エリア設定情報、前記危険通知設定手段にて設定した危険通知設定情報を請求項１から請求項５のいずれかに記載の制御装置に出力する通信処理手段とを具備する構成を採る。
【００１９】
この構成によれば、前記第２の携帯端末装置に対して、所望の安全エリアを設定することができる。
【００２０】
本発明の制御方法は、自己の位置情報を検出することができる第１及び第２の携帯端末装置がそれぞれ出力した位置情報を記憶する位置情報記憶工程と、前記第２の携帯端末装置の安全エリアを示す情報である安全エリア情報を記憶する安全エリア記憶工程と、前記位置情報と前記安全エリア情報を照合し、前記第２の携帯端末装置が安全エリアを出た場合には、前記第１の携帯端末装置に通報を行う制御工程とを具備するようにした。
【００２１】
この方法によれば、設定された安全エリアを前記第２の携帯端末装置が出た場合に、直ちに前記第１の携帯端末装置に通報するため、迅速に危険を察知することができる。
【発明の効果】
【００２２】
本発明によれば、制御装置が、携帯端末装置に設定された安全エリアを出た場合や電源がＯＦＦになった場合に、直ちに安全エリアを設定した側の携帯端末装置に通報することにより、迅速に危険を察知することができる。
【発明を実施するための最良の形態】
【００２３】
本発明の骨子は、制御装置が、一方の携帯端末装置に設定された安全エリアを出た場合や、携帯端末装置の電源がＯＦＦになった場合に、直ちにもう一方の携帯端末装置に通報することである。
【００２４】
以下、本発明の実施の形態について図面を参照して詳細に説明する。
【００２５】
（実施の形態）
図１は、本発明の一実施の形態に係る通信システムを示すブロック図である。
【００２６】
図１の通信システムは、携帯端末装置１００と、携帯端末装置２００と、携帯電話ネットワーク３００と、制御装置４００とから主に構成される。以下、図１のシステムを危険通知システムという。
【００２７】
携帯端末装置１００は、自己の位置情報及び携帯端末装置２００の行動範囲を設定し、位置情報及び設定した安全エリア情報を制御装置４００へ出力する。携帯端末装置２００は、自己の位置情報を制御装置４００へ出力する。携帯電話ネットワーク３００は、携帯端末装置１００と、携帯端末装置２００と、制御装置４００をつないでいる。制御装置４００は、携帯端末装置１００及び携帯端末装置２００から出力された情報に基づき、携帯端末装置２００が携帯端末装置１００の設定した行動範囲を出た場合や、携帯端末装置２００の電源がＯＦＦになった際には、携帯端末装置１００へ通報を行う。
【００２８】
図２は、携帯端末装置１００の構成を示すブロック図である。
【００２９】
携帯端末装置１００は、位置センサー２０１と、距離センサー２０２と、安全エリア設定部２０３と、危険通知設定部２０４と、制御部２０５と、通信処理部２０６とから主に構成される。
【００３０】
位置センサー２０１は、ＧＰＳもしくは基地局との測位に基づき、携帯端末装置１００の位置情報を検知する。
【００３１】
距離センサー２０２は、近距離無線技術などに基づき、携帯端末装置２００との距離を測定する。
【００３２】
安全エリア設定部２０３は、携帯端末装置２００が安全に行動することのできる安全エリアを設定する。具体的には、学校から自宅の住所を入力することにより適切な行動範囲を出力し設定する方法や、自宅から半径何メートルといった設定方法、ペン入力に基づき地図上で自由に安全エリアを設定する方法など、ユーザの利便性に合わせて選択できるものとする。
【００３３】
危険通知設定部２０４は、危険通知システムを動作させるか否かを選択する手段であり、子供が家に戻っている時など、特に動作が不要な場合には自由にＯＮ／ＯＦＦの選択が可能となるものである。
【００３４】
制御部２０５は、携帯端末装置１００における動作の制御を行う。具体的には、位置センサー２０１、距離センサー２０２、安全エリア設定部２０３、危険通知設定部２０４からの情報を制御し、通信処理部２０６を介して、制御装置４００へ情報を出力する。
【００３５】
通信処理部２０６は、既存の携帯電話、ＰＨＳネットワークに接続可能なモデムを有し、携帯端末装置１００の位置情報及び設定した安全エリアの設定情報を制御装置４００に対して出力する。
【００３６】
図３は、携帯端末装置２００の構成を示すブロック図である。
【００３７】
携帯端末装置２００は、位置センサー３０１と、距離センサー３０２と、危険通知設定部３０３と、制御部３０４と、通信処理部３０５とから主に構成される。
【００３８】
携帯端末装置２００は、安全エリア設定部を有していない点を除くと、携帯端末装置１００と同一の構成を採る。
【００３９】
図４は、制御装置４００の構成を示すブロック図である。
【００４０】
制御装置４００は、通信処理部４０１と、位置情報処理部４０２と、安全エリア処理部４０３と、電源処理部４０４と、制御部４０５とから主に構成されている。
【００４１】
通信処理部４０１は、携帯電話ネットワーク３００に接続されて通信を行う。位置情報処理部４０２は、携帯端末装置１００と携帯端末装置２００の位置情報を処理する。安全エリア処理部４０３は、携帯端末装置１００にて設定された安全エリア情報を処理する。電源処理部４０４は、携帯端末装置２００の電源のＯＮ／ＯＦＦを識別する。制御部４０５は、危険通知システム全体を制御する。
【００４２】
次に、本危険通知システムの動作について、図５に示すフロー図を用いて説明する。
【００４３】
携帯端末装置１００の危険通知設定部２０４に対して設定が行われると、危険通知モードに切り替わる（Ｓ５０１）。この時点で、制御装置４００に対して、危険通知モードに切り替わったことを通知する。次に、携帯端末装置１００のユーザが安全エリアの設定を行う。この情報も、制御装置４００に対して通知が行われる（Ｓ５０２）。
【００４４】
また、携帯端末装置２００の危険通知設定部３０３に対して設定が行われると、危険通知モードに切り替わる（Ｓ５０３）。ここで、仮に携帯端末装置２００のユーザが設定を行わない場合は、この危険通知システムは作動しない。携帯端末装置２００のユーザが、危険通知システムを作動させた場合は、情報が制御装置４００に発信され、危険通知システムが作動を始める。
【００４５】
制御装置４００では、位置情報処理部４０２において、携帯端末装置２００の位置情報を常時把握する。また、安全エリア処理部４０３において、携帯端末装置１００から出力された安全エリア情報を蓄積する。位置情報処理部４０２と安全エリア処理部４０３のデータを照合し、携帯端末２００が安全エリア外に出た（Ｓ５０４）、位置移動が設定時間以上無い（Ｓ５０５）、もしくは携帯端末装置１００との距離が設定距離を超えた（Ｓ５０６）、などの情報を制御部４０５で処理し通信処理部４０１を通じて携帯端末装置１００に通報する（Ｓ５０８）。通報する場合、携帯端末装置１００以外への通報も設定により可能とする。また、携帯端末装置２００の電源がＯＦＦになった場合（Ｓ５０７）にも、電源処理部４０４で情報を蓄積し、制御部４０５、通信処理部４０１を通じて携帯端末装置１００に通報する（Ｓ５０８）。
【００４６】
以上のように、本実施の形態によれば、携帯端末装置が設定した安全エリアを携帯端末装置が出た場合や、携帯端末装置の電源がＯＦＦになった場合に、直ちに携帯端末装置に通報することにより、迅速に危険を察知する危険通知システムを提供することができる。
【産業上の利用可能性】
【００４７】
本発明は、携帯端末装置が設定したエリアの外に携帯端末装置が出た場合や携帯端末装置の電源がＯＦＦされた場合に、直ちに携帯端末装置に通報が届くことで、危険を迅速に察知することができる。
【図面の簡単な説明】
【００４８】
【図１】本発明の一実施の形態に係る通信システムを示すブロック図
【図２】携帯端末装置の構成を示すブロック図
【図３】携帯端末装置の構成を示すブロック図
【図４】制御装置の構成を示すブロック図
【図５】本危険通知システムの動作を示すフロー図
【符号の説明】
【００４９】
１００  携帯端末装置
２００  携帯端末装置
２０１  位置センサー
２０２  距離センサー
２０３  安全エリア設定部
２０４  危険通知設定部
２０５  制御部
２０６  通信処理部
３００  携帯電話ネットワーク
３０１  位置センサー
３０２  距離センサー
３０３  危険通知設定部
３０４  制御部
３０５  通信処理部
４００  制御装置
４０１  通信処理部
４０２  位置情報処理部
４０３  安全エリア処理部
４０４  電源処理部
４０５  制御部
【図１】
2005210204.tif 000003
【図２】
2005210204.tif 000004
【図３】
2005210204.tif 000005
【図４】
2005210204.tif 000006
【図５】
2005210204.tif 000007